(57)【特許請求の範囲】
【請求項１】
外部電源によって作動する液面レベルを検知する磁歪式液量検出器を備え、この磁歪式液量検出器によって測定した液体燃料の液面レベルデータを遠隔箇所に設置した液量表示装置に表示する遠隔式タンク液量測定装置において、
前記磁歪式液量検出器には、
磁歪式センサとともに、外部電源と接続された充電制御電源ユニットと、前記磁歪式センサによって検知された液面レベルを液量として表示する液量表示手段と、前記充電制御電源ユニットによって外部電源供給時に常時充電が行われる充電式バッテリーと、前記充電制御電源ユニットを制御するスイッチ手段とが設けられており、
外部電源の供給が停止した場合には、
前記スイッチ手段をＯＮにすることによって、充電制御電源ユニットに制御信号が伝達されて、この制御信号に基づいて充電制御電源ユニットは充電式バッテリーから磁歪式センサに電力を数秒間供給し、その間、液量を前記磁歪式液量検出器に設けられた液量表示手段に表示する遠隔式タンク液量測定装置。
【請求項２】
前記磁歪式液量検出器に組み込まれた液量表示手段が必要に応じて液量の表示ができる請求項１に記載の遠隔式タンク液量測定装置。
【発明の詳細な説明】
【技術分野】
【０００１】
本発明は、タンク内に収納されている液体燃料の液量を測定する装置とくに、磁歪式液量検出器を用いた遠隔式タンク液量測定装置に関する。
【背景技術】
【０００２】
磁歪式液量検出器を用いた遠隔式タンク液量測定装置そのものは、下記特許文献１に開示されている。この開示された遠隔式タンク液量測定装置は、液面測定領域に垂直に設けた磁歪線と、磁歪線に沿って上下動する磁石付きフロートと、磁歪線に一定周期の発振パルスを出力するパルス送信手段と、磁歪線の上端領域に設けられたパルス受信手段とを備える磁歪式液量検出器を複数設け、さらに、一定周期で磁歪式液量検出器から出力されたパルス信号を取り込む切換手段を設けることによって、液量の変化を早期に且つ正確に検知できるものである。
【０００３】
しかしながら、故障や停電等の電気的トラブルが発生した場合には、とくに、磁歪線を利用するために、以下のような問題を生じる。
【０００４】
液量の表示が全て消えてしまい在庫量の確認ができなくなるため、在庫量減少の状態が判らず計量機のエア噛み、またはボイラーのエア噛み等が発生し、客先に多大な営業的損害を与えるということである。また、このような状態で、タンクに荷卸しを行った場合、正確な液量の確認ができないため、オーバーフローが発生しやすく非常に危険である。
【０００５】
また、 万一、遠隔箇所に設けられた液量表示装置が何らかのトラブルにより異常な液量表示を行った場合、それが正常であるか異常であるかの確認ができないため非常に危険である。
【特許文献１】特許第３２９６４０１号公報
【０００６】
【０００７】
【発明の開示】
【発明が解決しようとする課題】
【０００８】
本発明が解決しようとする課題は、磁歪式液量検出器を組み込んだ遠隔式タンク液量測定装置に電気的トラブルが発生したときの問題を解消すること、および、磁歪式液量検出器を組み込んだ遠隔式タンク液量測定装置を安価に、かつ客先の営業を阻害することなく設置可能とすることにある。
【０００９】
［課題を解決するための手段］
本発明は、外部電源によって作動する液面レベルを検知する磁歪式液量検出器を備え、この磁歪式液量検出器によって測定した液体燃料の液面レベルデータを遠隔箇所に設置した液量表示装置に表示する遠隔式タンク液量測定装置において、前記磁歪式液量検出器には、磁歪式センサとともに、外部電源と接続された充電制御電源ユニットと、前記磁歪式センサによって検知された液面レベルを液量として表示する液量表示手段と、前記充電制御電源ユニットによって外部電源供給時に常時充電が行われる充電式バッテリーと、前記充電制御電源ユニットを制御するスイッチ手段とが設けられており、外部電源の供給が停止した場合には、前記スイッチ手段をＯＮにすることによって、充電制御電源ユニットに制御信号が伝達されて、この制御信号に基づいて充電制御電源ユニットは充電式バッテリーから磁歪式センサに電力を数秒間供給し、その間、液量を前記磁歪式液量検出器に設けられた液量表示手段に表示することを特徴とする。
【００１０】
また、磁歪式液量検出器から遠隔箇所に設けられた液量表示装置までの信号を無線で送受信できるようにすることによって、その利便性を高めることもできる。
【発明の効果】
【００１１】
停電等の電気的トラブルが発生しても、磁歪式液量検出器側に組み込まれた液量表示手段で在庫量の確認ができるため、計量機のエア噛み、またはボイラーのエア噛み等の発生がなくなり営業的損失が皆無となる。
【００１２】
常時、在庫量の確認ができるため、オーバーフローの発生が皆無となり、安全性が大幅に向上する。
【００１３】
万一、遠隔箇所に設けられた液量表示装置に異常が発生しても、磁歪式液量検出器側に組み込まれた液量表示手段の指示量との比較が簡単に行え、異常・正常の判別が可能となるため、安全性が更に向上する。
【特許文献１】特許第３２９６４０１号公報
【００１４】
【００１５】
【発明を実施するための最良の形態】
【００１６】
以下、図面に示す実施例に基づき本発明の実施の形態を説明する。
【実施例１】
【００１７】
図１は、本発明の遠隔式タンク液量測定装置の第１実施例のブロック構成図である。本発明の遠隔式タンク液量測定装置は磁歪式液量検出器１０を備え、この磁歪式液量検出器１０で測定した液量データ等を遠隔箇所の液量表示装置（図示せず）に有線（後述する信号線１６）で送信し、液量等を表示させるものである。
【００１８】
同図において、磁歪式液量検出器１０は、磁歪式センサ１１と、充電式バッテリー１２と、充電制御電源ユニット１３と、液量表示器等の液量表示手段１４と、スイッチ手段１５とを内部に有している。このうち磁歪式センサ１１は、磁歪線１１ａと、この磁歪線１１ａに沿って上下動可能な磁石付フロート１１ｂを備え、磁石付フロート１１ｂの上下動を磁歪現象を利用して感知し液面レベルを検知する。
【００１９】
磁歪式液量検出器１０は外部電源と接続されており、通常は、外部電源によって磁歪式センサ１１が作動し、磁歪式センサ１１からの液面レベルデータに基づき演算された液量が液量表示手段１４に表示される。磁歪式センサ１１からの液面レベルデータ又はこれに基づく液量データは信号線１６を介し、遠隔箇所に別個に設けた液量表示装置にも伝達される。また、外部電源は、充電制御電源ユニット１３にも供給され、これによって充電式バッテリー１２の充電が常時行われる。
【００２０】
停電時等の電気的トラブルにより外部電源の供給が停止した場合は、スイッチ手段１５をＯＮにすることで、充電式バッテリー１２を使用して磁歪式センサ１１を作動させて液量表示手段１４に液量を表示することができる。すなわち、スイッチ手段１５をＯＮにすると、充電制御電源ユニット１３に制御信号が伝達され、この制御信号に基づいて充電制御電源ユニット１３は充電式バッテリー１２から磁歪式センサ１１に電力を数秒間供給するように充電式バッテリー１２を制御する。このようにして、スイッチ手段１５をＯＮにしてから磁歪式センサ１１が作動し、その間、液量を液量表示手段１４に表示させるようになっている。
【００２１】
このスイッチ手段１５を利用した液量表示は、外部電源の供給が停止しなくとも、信号線１６を介して液面レベルデータや液量データが伝達される遠隔箇所の液量表示装置に動作不良が生じて液量の表示ができなくなった場合や、磁歪式液量検出器１０自体の動作点検のためにも使用できる。
【００２２】
なお、充電式バッテリー１２は、先に説明したように外部電源により常時充電されており、その使用もスイッチ手段１５をＯＮにした後の数秒間に限られるので、電池切れの心配はない。
【００２３】
また、上記実施例では、充電式バッテリー１２、液量表示手段１４等を磁歪式液量検出器１０の内部に設けたが、磁歪式液量検出器１０に隣接して設けてもよい。
【００２４】
【００２５】
【００２６】
【００２７】
【実施例２】
【００２８】
図２は、本発明の遠隔式タンク液量測定装置の第２実施例のブロック構成図を示す。先の第１実施例と同一の構成部分には同一の符号を付している。
【００２９】
本実施例では、第１実施例における液量表示手段１４を効率的に補助するものとして、液面・液量変換手段３１を設けている。この液面・液量変換手段はＲＯＭからなり、磁歪式センサ１１より得られた液面レベルデータを液量データに変換するデータテーブルが収録されている。このデータデーブルは、タンク形状に合わせて予め計算された液面・液量変換データに基づき作成されている。
【００３０】
これによって、磁歪式センサ１１より得られた液面レベルデータから、液量表示手段１４において容易に液量を表示をすることができるようになっている。
【００３１】
そのため、タンク形状がどのようになっていても計算可能な形状であれば、正確な液量表示が可能になる。
【実施例３】
【００３２】
図３は、本発明の遠隔式タンク液量測定装置の第３実施例のブロック構成図であり、液面・液量変換手段をＲＡＭで構成したものである。
【００３３】
本実施例における液面・液量変換手段３２には、第２実施例と同様に、磁歪式センサ１１より得られた液面レベルデータを液量データに変換するデータテーブルが収録されており、そのデータテーブルを作成するための初期データとしては、通常、タンク形状により予め計算した液面・液量変換データが使用されている。
【００３４】
そして、本実施例では、液面・液量変換手段３２に収録されたデータテーブルを、液量表示装置２０による実測に基づく液面・液量変換データを信号線１６を介して取り込むことによって、書き換えできるようにしている。なお、液量表示装置２０による実測は、液量表示装置２０が持つ液面の位置データの変化と、計量機による液汲出し量のデータを液量表示装置２０により比較・修正する等の手段によって行うことができる。これによって、タンクの液面レベルと液量との実測に基づく変換データを得ることが可能である。
【００３５】
以上のように、本実施例では、液量表示装置２０による実測に基づく液面・液量変換データを取り込み可能とすることで、液面・液量変換データをより精度の高いものとすることができる。また、タンクの形状が複雑で、液面・液量変換データが計算では作成困難な場合であっても、実測に基づく液面・液量変換データを使用することにより、液量表示手段１４において容易に液量を表示することができる。
【実施例４】
【００３６】
図４は、本発明の遠隔式タンク液量測定装置の第４実施例のブロック構成図である。先の第１実施例と同一の構成には同一の符号を付し、その説明を省略する。
【００３７】
本実施例は、第１実施例におけるスイッチ手段１５を磁歪式液量検出器１０の外部に設置して、液量表示手段１４への表示を外部から指示できるようにしたものである。
【００３８】
そのため、外部指示により表示、非表示を切り換えることができるようになる。また、磁歪式液量検出器１０が多湿又は水没環境下に置かれていたとしても可動部材であるスイッチ手段１５は外部に置かれているので、スイッチ手段１５が機能障害を起こすことがなく、遠隔式タンク液量測定装置全体としての耐水性、防水性を向上させることができる。
【実施例５】
【００３９】
図５は、本発明の遠隔式タンク液量測定装置の第５実施例のブロック構成図であり、先の第１実施例と同一の構成には同一の符号を付し、その説明を省略する。
【００４０】
本実施例では、磁歪式センサ１１と液量表示手段１４との間にデータ切換手段３３を設けている。これまでの実施例では、磁歪式センサ１１で検出した液面レベル情報に基づく液量情報のみを液量表示手段１４に表示させるようにしていたが、本実施例では、データ切換手段３３でデータ表示内容の切換操作をすることにより、液量情報のほかに、磁歪式センサ１１で検出される液面レベル情報、温度情報等を液量表示手段１４に表示させることができる。そのため、液量表示装置２０において表示される情報の大部分を磁歪式液量検出器１０側で確認することが可能になる。
【実施例６】
【００４１】
図６は、本発明の遠隔式タンク液量測定装置の第６実施例のブロック構成図であり、先の第１実施例と同一の構成には同一の符号を付し、その説明を省略する。
【００４２】
本実施例では、液量表示手段１４は、信号線１６を介して磁歪式センサ１１と液量表示装置２０の両方に接続されている。したがって、液量表示手段１４は、通常は磁歪式センサ１１からの液量情報を表示するとともに、液量表示装置２０からの命令により、液量表示装置２０で処理された、より高精度かつ多様な情報を表示することが可能となり、磁歪式液量検出器１０の設置調整や保守点検時等において有効な手段となる。
【図面の簡単な説明】
【００４３】
【図１】本発明の遠隔式タンク液量測定装置の第１実施例のブロック構成図である。
【図２】本発明の遠隔式タンク液量測定装置の第２実施例のブロック構成図である。
【図３】本発明の遠隔式タンク液量測定装置の第３実施例のブロック構成図である。
【図４】本発明の遠隔式タンク液量測定装置の第４実施例のブロック構成図である。
【図５】本発明の遠隔式タンク液量測定装置の第５実施例のブロック構成図である。
【図６】本発明の遠隔式タンク液量測定装置の第６実施例のブロック構成図である。
【図１】
0004143093.tif 000002
【図２】
0004143093.tif 000003
【図３】
0004143093.tif 000004
【図４】
0004143093.tif 000005
【図５】
0004143093.tif 000006
【図６】
0004143093.tif 000007